(57)【要約】【課題】カメラに保持可能となっているカメラ用レンズキャップに対しコンバーターレンズのレンズキャップを固定できる構造とすることにより収納場所を確保できるようにする。【解決手段】カメラの前面に取り付けレンズ性能を拡張するコンバーターレンズにおけるレンズキャップおいて、コンバーターレンズ用レンズキャップをカメラに対して収納構造を持つカメラ用レンズキャップに結合し固定できる機構を有することを特徴とするレンズキャップ。【選択図】図１
2007219378.tif 000002
【特許請求の範囲】
【請求項１】
カメラの前面に取り付けレンズ性能を拡張するコンバーターレンズにおけるレンズキャップおいて、コンバーターレンズ用レンズキャップをカメラに対して収納構造を持つカメラ用レンズキャップに結合し固定できる機構を有することを特徴とするレンズキャップ。
【請求項２】
請求項１記載のレンズキャップにおいて、カメラ用レンズキャップに対しコンバーターレンズ用レンズキャップを固定する機構として、カメラ用レンズキャップをカメラのフィルターネジ部と係合させ固定させる結合機構部に対し、同様に係合できる突起または窪みをコンバーターレンズ用レンズキャップに設けたことを特徴とするレンズキャップ。
【請求項３】
請求項１または請求項２記載のレンズキャップにおいて、カメラ用レンズキャップと結合させる位置をコンバーターレンズに装着した時レンズ側となる面とし、対面すなわち装着時外側となる面には、コンバーターレンズの二つ目のレンズキャップを固定できる機構を有することを特徴とするレンズキャップ。
【発明の詳細な説明】
【技術分野】
【０００１】
本発明はレンズキャップに関し、特にカメラのコンバーターレンズ用レンズキャップ収納機構に関するものである。
【背景技術】
【０００２】
従来技術では、カメラ用レンズキャップの収納についてはグリップベルトに引っ掛けるなど考慮されているが、コンバーターレンズを付けた時の、コンバーターレンズ用レンズキャップの収納方法については考えられておらず、外したレンズキャップはカメラケースなどカメラと離れた別の場所に収納するしかなかった（例えば、特許文献１参照）。
【特許文献１】特開平６−２６１２３３号公報
【発明の開示】
【発明が解決しようとする課題】
【０００３】
レンズは汚れ、キズなどに弱く、使用しない時には保護のためにレンズキャプを付けることが望ましいが、上記従来例のように、カメラケースなどへの収納ではすぐに取り出すことが難しく使い勝手が悪い。操作性向上のためにはカメラに収納場所を作る必要があるが小型化が進んでいるカメラにおいて、常時使用するわけではないコンバーターレンズのためにレンズキャップの収納場所を確保することは困難である。
【０００４】
本発明は、カメラにコンバーターレンズ用レンズキャップ専用の収納場所を設ける事無く収納させることを可能とすることにより、カメラの小型化及び外観の美観への悪影響を及ぼす事無く、使い勝手を向上させようとするレンズキャップを提供することを目的とする。
【課題を解決するための手段】
【０００５】
上記目的を達成するために、本出願に係わる第１の発明は、カメラのグリップベルトなどへ固定する構造のカメラ用レンズキャップに対し、コンバーターレンズ用レンズキャップを結合させることにより、カメラにコンバーターレンズ用レンズキャップのための収納部分を新たに設ける事無く収納させることを特徴とするものである。
【０００６】
本出願に係わる第２の発明は、結合方法においてカメラ用レンズキャップのカメラ、フィルターネジ部に係合させる部分に対して同様の手法にてコンバーターレンズ用レンズキャップを係合させることを特徴とするものである。
【０００７】
本出願に係わる第３の発明は、コンバーターレンズ用レンズキャップにおいて、コンバーターレンズに装着した時、レンズ面となる側をカメラ用レンズキャップと結合させ、対面すなわち装着時外側となる面にはコンバーターレンズの二つ目のキャップを結合させることにより、全てのレンズキャップをカメラに収納することを可能とさせるものである。
【０００８】
また、カメラにコンバーターレンズを取り付けた状態でレンズキャップを装着する時にはコンバーターレンズの二つ目のキャップを結合したままコンバーターレンズ用レンズキャップを装着することも可能となることを特徴とするものである。
【０００９】
以上、本発明についてその詳細を説明したが、これを下記に整理して記述する。
【００１０】
（１）カメラの前面に取り付けレンズ性能を拡張するコンバーターレンズにおけるレンズキャップおいて、コンバーターレンズ用レンズキャップをカメラに対して収納構造を持つカメラ用レンズキャップに結合し固定できる機構を有することを特徴とするレンズキャップ。
【発明の効果】
【００１１】
従来技術では外したコンバーターレンズ用レンズキャップの収納場所が無くカメラケースなどに入れていたが、撮影ごとにカメラケースの開け閉めが必要となり面倒であった。また、決められた収納場所が無いためどこに収納したのかを忘れ探すこともあった。
【００１２】
本出願に係る第１の発明によれば、カメラに固定し収納できる構造となっているカメラ用レンズキャップに対し、コンバーターレンズ用レンズキャップを結合し固定する構造とすることで、専用の収納場所を設ける事無くカメラに収納することが可能となる。このことにより収納及び装着を迅速に行うことができるようになった。また、カメラに特別な収納部を設けていないためコンバーターレンズを装着しない時に不必要となる構造物が無く、最適な形状及びデザインにすることができる。
【００１３】
本出願に係る第２の発明によれば、カメラ用レンズキャップのフィルターネジ部に対する装着機構を使ってコンバーターレンズ用レンズキャップを固定する構造とすることでカメラ用レンズキャップに対しても特別な構造を設ける必要が無くなる。
【００１４】
本出願に係る第３の発明によれば、コンバーターレンズの二つ目のレンズキャップを一つ目のレンズキャップに固定することで、カメラに特別な収納構造を負荷させることなく全てのレンズキャップを固定、収納させることが可能となる。
【発明を実施するための最良の形態】
【００１５】
以下本発明を実施するための最良の形態を、実施例により詳しく説明する。
【実施例】
【００１６】
図１は実施例におけるレンズキャップの収納状態を示す図で、１はカメラ、１−１はカメラのグリップベルト部、２はカメラのレンズを保護するカメラ用レンズキャップ、３はカメラの撮影画角を光学的に変換するコンバーターレンズ、４はコンバーターレンズ３の前面を保護するフロントキャップ、５はコンバーターレンズ３の後面を保護するリアキャップである。
【００１７】
図２（ａ），（ｂ）はレンズキャップ間の結合状態の詳細を示す図で、２方向から図示しており、矢印方向に結合させる。２−１はカメラ用レンズキャップ２の各部材を保持しているカメラ用レンズキャップ本体、２−１−１はグリップベルト１−１に引っ掛けて収納するためのクリップ、２−２はカメラ１のフィルターネジ部に固定するための固定部材、２−２−１は固定部材２−２の一部でカメラ１のフィルターネジ部と勘合するロック部、２−２−２は固定部材２−２の一部でロック部２−２−１を内側に寄せるためのツマミ、２−２−３は固定部材２−２の一部でロック部２−２−１をフィルターネジ部に押し付けるためのバネ部、４−１はコンバーターレンズ３と係合して固定させる勘合部ｆ１、４−２はカメラ用レンズキャップ２と係合して固定させる勘合部ｆ２、４−３はリアキャップと係合固定させる勘合部ｆ３、５−１はコンバーターレンズ３と係合し固定させる勘合部ｒである。
【００１８】
図３はレンズキャップ間の結合時のＡ−Ａ断面を示す図である。
【００１９】
図４はレンズキャップ間の結合時のＢ−Ｂ断面を示す図で、２−１−２は固定部材２−２をカメラ用レンズキャップ本体２−１に結合するための固定フックである。
【００２０】
図５はカメラ用レンズキャップをカメラに取り付けた時の状態を示す図で、１−２はカメラ１のレンズ前面にフィルターなど光学アダプターと取り付けるためのフィルター取り付けネジ部である。
【００２１】
図６はカメラ１にコンバーターレンズ３を取り付けた状態でのレンズキャップ装着図である。
【００２２】
図７はコンバーターレンズ３にレンズキャップを装着した状態を示す図で、３−１はコンバーターレンズ３のフロントキャップ４との係合部するフロントキャップ取り付け部、３−２はリアキャップとの係合部するリアキャップ取り付け部である。
【００２３】
カメラ用レンズキャップ２はカメラ用レンズキャップ本体２−１と固定部材２−２の２部品で構成され、カメラ用レンズキャップ本体２−１から出ている固定フック２−１−２にて固定部材２−２が脱落しないように結合されている。
【００２４】
使用しない時には、カメラ１のレンズ保護のために、カメラ用レンズキャップ２をカメラ１のレンズ部に取り付ける。取り付けは、固定部材２−２のツマミ２−２−２をＧ方向に押すことによりロック部２−２−３を内側に寄せ、カメラ１のフィルター取り付けネジ部１−２の内径より縮径して挿入する。挿入後、Ｇ方向の荷重を無くすことによりバネ部２−２−３の反発力でロック部２−２−１がフィルター取り付けネジ部１−２に押し付けられ固定される。
【００２５】
撮影時には、カメラ用レンズキャップ２を上記取り付けと逆の手順でフィルター取り付けネジ部１−２より外す。外したカメラ用レンズキャップ２は、カメラ用レンズキャップ本体２−１と一体になっているクリップ２−１−１をカメラ１のグリップベルト１−１に引っ掛けることにより収納する。
【００２６】
コンバーターレンズ３は保管時には、レンズ保護のためにフロントキャップ４の勘合部ｆ１  ４−１と、フロントキャップ取り付け部３−１を軽圧入で係合させて固定し、リアキャップ５についても同様に勘合部ｒ  ５−１と、リアキャップ取り付け部３−２を軽圧入させて固定する。
【００２７】
コンバーターレンズ３のカメラ１への取り付けは、コンバーターレンズ３よりリアキャップ５を外し、勘合部ｒ  ５−１を、フロントキャップ４の勘合部ｆ３  ４−３と、軽圧入にて係合させることにより、フロントキャップ４と一体化させ、コンバーターレンズの取り付けネジ部をフィルター取り付けネジ部１−２にネジ込むことにより固定させる。
【００２８】
コンバーターレンズ３を使っての撮影時には、リアキャップ５が結合されたフロントキャップ４をコンバーターレンズ３より外し、グリップベルト１−１に引っ掛けられたカメラ用レンズキャップ３に対し、フィルター取り付けネジ部１−２への装着と同様に、ツマミ２−２−２をＧ方向に押すことでロック部２−２−１を縮径させ、フィルター取り付けネジ部１−２と同径である勘合部ｆ２  ４−２と係合させることにより固定する。
【図面の簡単な説明】
【００２９】
【図１】レンズキャップ収納時の構成図
【図２】レンズキャップ結合図
【図３】レンズキャップ結合時のＡ−Ａ図
【図４】レンズキャップ結合時のＢ−Ｂ図
【図５】カメラ用レンズキャップ取り付け図
【図６】コンバーターレンズ取り付け時のレンズキャップ装着図
【図７】コンバーターレンズ用レンズキャップ取り付け図
【符号の説明】
【００３０】
１          カメラ
１−１      グリップベルト
１−２      フィルター取り付けネジ部
２          カメラ用レンズキャップ
２−１      カメラ用レンズキャップ本体
２−１−１  クリップ
２−１−２  固定フック
２−２      固定部材
２−２−１  ロック部
２−２−２  ツマミ
２−２−３  バネ部
３          コンバーターレンズ
３−１      フロントキャップ取り付け部
３−２      リアキャップ取り付け部
４          フロントキャップ
４−１      勘合部ｆ１
４−２      勘合部ｆ２
４−３      勘合部ｆ３
５          リアキャップ
５−１      勘合部ｒ
Ｇ          力を加える方向
【図１】
2007219378.tif 000003
【図２】
2007219378.tif 000004
【図３】
2007219378.tif 000005
【図４】
2007219378.tif 000006
【図５】
2007219378.tif 000007
【図６】
2007219378.tif 000008
【図７】
2007219378.tif 000009